(57)【要約】      （修正有）【課題】格納媒体に対する権限設定及び権限認証を行うようにしたクライアントサーバシステム、クライアントサーバシステムにおける格納媒体権限設定方法及び権限認証方法を提供する。【解決手段】サーバがクライアントから媒体認証情報が受信されない場合、格納媒体に記録される媒体認証情報を生成して媒体認証格納情報として登録し、前記媒体認証情報を前記クライアントに送信する段階、前記クライアントが前記送信された媒体認証情報を前記格納媒体に記録し、前記格納媒体に対する権限認証情報を取得して前記サーバに送信する段階、及び前記サーバが前記送信された権限認証情報を権限認証格納情報として登録し、前記格納媒体に対する権限認証情報を設定する段階を備え、格納媒体の駆動によってサーバにおいて格納媒体に対する固有情報、媒体認証情報、及び権限認証情報を用いて格納媒体に対する権限設定及び権限認証を行う。【選択図】図２
2008262517.tif 000002
【特許請求の範囲】
【請求項１】
格納媒体が駆動されるクライアントとサーバを含むクライアントサーバシステムにおいて、
前記クライアントは、前記格納媒体の駆動時に前記サーバから送信された媒体認証情報を前記格納媒体に記録し、前記格納媒体に対する権限認証情報を取得して前記サーバに転送し、前記サーバは、前記クライアントから前記媒体認証情報が受信されない場合、前記格納媒体に対する媒体認証情報を生成して媒体認証格納情報として登録し、前記生成された媒体認証情報を前記クライアントに送信し、
前記クライアントから送信された媒体認証情報と登録された媒体認証格納情報が一致する場合、前記クライアントから送信された権限認証情報を権限認証格納情報として登録し、前記格納媒体に対する権限認証情報を設定することを特徴とするクライアントサーバシステム。
【請求項２】
前記媒体認証情報は前記格納媒体の権限認証のための固有番号で、前記サーバにおいて自動で生成されることを特徴とする請求項1に記載のクライアントサーバシステム。
【請求項３】
前記権限認証情報はユーザＩＤまたはユーザパスワードにより表示されるユーザ認証情報と、前記クライアントのIPまたはマックアドレスで表示されるクライアント認証情報であることを特徴とする請求項1に記載のクライアントサーバシステム。
【請求項４】
前記権限認証情報は前記格納媒体に記録される所定データに対するホルダ/ファイル権限認証情報をさらに含むことを特徴とする請求項3に記載のクライアントサーバシステム。
【請求項５】
前記クライアントは、前記サーバからの権限認証情報の要請に従って前記権限認証情報を取得して前記サーバに送信し、
前記サーバは、前記クライアントから送信された媒体認証情報と登録された媒体認証格納情報とを比較して一致する場合、前記権限認証情報を前記クライアントに要請し、前記権限認証情報を受信して登録された前記権限認証格納情報と比較して一致する場合、前記格納媒体に対する権限を認証することをさらに含むことを特徴とする請求項1に記載のクライアントサーバシステム。
【請求項６】
前記媒体認証情報は前記格納媒体の権限認証のための固有番号で、前記サーバにおいて自動で生成されることを特徴とする請求項5に記載のクライアントサーバシステム。
【請求項７】
前記権限認証情報はユーザＩＤまたはユーザパスワードにより表示されるユーザ認証情報と、前記クライアントのIPまたはマックアドレスで表示されるクライアント認証情報であることを特徴とする請求項5に記載のクライアントサーバシステム。
【請求項８】
前記権限認証情報は前記格納媒体に記録される所定データに対するホルダ/ファイル権限認証情報をさらに含むことを特徴とする請求項7に記載のクライアントサーバシステム。
【請求項９】
前記サーバは前記受信されたユーザ認証情報が登録されたユーザ認証格納情報と一致しても、前記受信されたクライアント認証情報が登録されたクライアント認証格納情報と一致しなければ、前記格納媒体のデータ接近を遮断することを特徴とする請求項7に記載のクライアントサーバシステム。
【請求項１０】
前記クライアントは、前記サーバから前記格納媒体に対する権限認証を受けた後、前記格納媒体に対する利用情報を取得して前記サーバに送信し、
前記サーバは、前記クライアントから送信された格納媒体に対する利用情報を登録することをさらに含むことを特徴とする請求項5に記載のクライアントサーバシステム。
【請求項１１】
前記媒体認証情報は前記格納媒体の権限認証のための固有番号で、前記サーバにおいて自動で生成されることを特徴とする請求項10に記載のクライアントサーバシステム。
【請求項１２】
前記権限認証情報はユーザＩＤまたはユーザパスワードにより表示されるユーザ認証情報と、前記クライアントのIPまたはマックアドレスで表示されるクライアント認証情報であることを特徴とする請求項10に記載のクライアントサーバシステム。
【請求項１３】
前記権限認証情報は前記格納媒体に記録される所定データに対するホルダ/ファイル権限認証情報をさらに含むことを特徴とする請求項12に記載のクライアントサーバシステム。
【請求項１４】
前記格納媒体に対する利用情報は, 前記格納媒体の駆動如何の情報、前記格納媒体に既に格納された各データの使用如何の情報、前記各データの閲覧時のログイン情報であることを特徴とする請求項9に記載のクライアントサーバシステム。
【請求項１５】
格納媒体が駆動されるクライアントとサーバを含むクライアントサーバシステムにおける格納媒体権限設定方法において、
前記サーバが前記クライアントから前記媒体認証情報が受信されない場合、前記格納媒体に記録される媒体認証情報を生成して媒体認証格納情報として登録し、前記媒体認証情報を前記クライアントに送信する段階;
前記クライアントが前記送信された媒体認証情報を前記格納媒体に記録し、前記格納媒体に対する権限認証情報を取得して前記サーバに送信する段階;及び
前記サーバが前記送信された権限認証情報を権限認証格納情報として登録し、前記格納媒体に対する権限認証情報を設定する段階を備えることを特徴とするクライアントサーバシステムにおける格納媒体権限設定方法。
【請求項１６】
前記媒体認証情報は前記格納媒体の権限認証のための固有番号で、前記サーバにおいて自動で生成されることを特徴とする請求項１５に記載のクライアントサーバシステムにおける格納媒体権限設定方法。
【請求項１７】
前記権限認証情報はユーザＩＤまたはユーザパスワードにより表示されるユーザ認証情報と、前記クライアントのIPまたはマックアドレスで表示されるクライアント認証情報であることを特徴とする請求項15に記載のクライアントサーバシステムにおける格納媒体権限設定方法。
【請求項１８】
前記権限認証情報は前記格納媒体に記録される所定データに対するホルダ/ファイル権限認証情報をさらに含むことを特徴とする請求項１７に記載のクライアントサーバシステムにおける格納媒体権限設定方法 。
【請求項１９】
格納媒体が駆動されるクライアントとサーバを含むクライアントサーバシステムにおける格納媒体権限認証方法において、
前記クライアントが前記格納媒体の駆動時に前記格納媒体に記録された媒体認証情報及び固有情報を取得して前記サーバに送信する段階;
前記サーバが前記クライアントから送信された媒体認証情報及び固有情報を登録された媒体認証格納情報及び固有情報と比較していずれも一致する場合、権限認証情報を前記クライアントに要請する段階;
前記クライアントが前記サーバから権限認証情報の要請に従って前記格納媒体に対する権限認証情報を取得して前記サーバに送信する段階;及び
前記サーバが前記送信された権限認証情報と登録された権限認証格納情報を比較して一致する場合、前記格納媒体に対する権限を認証する段階を備えることを特徴とするクライアントサーバシステムにおける格納媒体権限認証方法。
【請求項２０】
前記媒体認証情報は前記格納媒体の権限認証のための固有番号で、前記サーバにおいて自動で生成されることを特徴とする請求項１９に記載のクライアントサーバシステムにおける格納媒体権限認証方法。
【請求項２１】
前記権限認証情報はユーザＩＤまたはユーザパスワードにより表示されるユーザ認証情報と、前記クライアントのIPまたはマックアドレスで表示されるクライアント認証情報であることを特徴とする請求項１９に記載のクライアントサーバシステムにおける格納媒体権限認証方法。
【請求項２２】
前記権限認証情報は前記格納媒体に記録される所定データに対するホルダ/ファイル権限認証情報をさらに含むことを特徴とする請求項２１に記載のクライアントサーバシステムにおける格納媒体権限認証方法 。
【請求項２３】
前記権限認証段階で前記サーバは前記受信されたユーザ認証情報が登録されたユーザ認証格納情報と一致しても、前記受信されたクライアント認証情報が登録されたクライアント認証格納情報と一致しなければ、前記格納媒体のデータ接近を遮断することを特徴とする請求項２１または２２に記載のクライアントサーバシステムにおける格納媒体権限認証方法。
【請求項２４】
前記権限認証段階で前記サーバから前記格納媒体に対する権限認証を受けた後、前記クライアントが前記格納媒体に対する利用情報を取得して前記サーバに送信する段階;及び
前記サーバが前記クライアントから送信された格納媒体に対する利用情報を登録する段階をさらに備えることを特徴とする請求項１９に記載のクライアントサーバシステムにおける格納媒体権限認証方法。
【請求項２５】
前記媒体認証情報は前記格納媒体の権限認証のための固有番号で、前記サーバにおいて自動で生成されることを特徴とする請求項２４に記載のクライアントサーバシステムにおける格納媒体権限認証方法。
【請求項２６】
前記権限認証情報はユーザＩＤまたはユーザパスワードにより表示されるユーザ認証情報と、前記クライアントのIPまたはマックアドレスで表示されるクライアント認証情報であることを特徴とする請求項２４に記載のクライアントサーバシステムにおける格納媒体権限認証方法。
【請求項２７】
前記権限認証情報は前記格納媒体に記録される所定データに対するホルダ/ファイル権限認証情報をさらに含むことを特徴とする請求項２６に記載のクライアントサーバシステムにおける格納媒体権限認証方法。
【請求項２８】
前記権限認証段階で前記サーバは前記受信されたユーザ認証情報が登録されたユーザ認証格納情報と一致しても、前記受信されたクライアント認証情報が登録されたクライアント認証格納情報と一致しなければ、前記格納媒体のデータ接近を遮断することを特徴とする請求項２６または２７に記載のクライアントサーバシステムにおける格納媒体権限認証方法。
【請求項２９】
前記格納媒体に対する利用情報は, 前記格納媒体の駆動如何の情報、前記格納媒体に既に格納された各データの使用如何の情報、前記各データの閲覧時のログイン情報であることを特徴とする請求項24に記載のクライアントサーバシステムにおける格納媒体権限認証方法。
【発明の詳細な説明】
【技術分野】
【０００１】
本発明は格納媒体に関するものであって、さらに詳細にはクライアントサーバシステム、クライアントサーバシステムにおける格納媒体権限設定方法及び権限認証方法に関するものである。
【背景技術】
【０００２】
従来、ハイブリッド(Hybrid)ディスクを用いたインターネットサービスプロバイダ(ISP)の入会システムが提案されている。
【０００３】
それはハイブリッドディスクの読み出し専用領域(ROM領域)に予め記録された入会申請プログラムを用いて、会員登録用サーバにアクセスし、その会員登録用サーバにより取得されたユーザIDやパスワードなどの情報を前記ハイブリッドディスクの記録可能領域(RAM領域)に記録する形式である。
【発明の開示】
【発明が解決しようとする課題】
【０００４】
ところが、従来技術では、パスワードを忘れてしまえば用いることができなくなり、そのパスワードを紙に記録しておいたりすると他人が見たりして不正に用いられるおそれがある。また、ハイブリッドディスクにユーザIDやパスワードが記録されているため、ハイブリッドディスクが不正にコピーされてしまった場合、その不正コピーディスクと本物のディスクとの区別が不可能になり、不正コピーされたハイブリッドディスクを用いた不正アクセスの可能性があるという問題があった。
【０００５】
従って、本発明は前記のような問題を解決するために案出したもので、格納媒体の駆動によってサーバにおいて格納媒体に対する固有情報、媒体認証情報、及び権限認証情報を用いて格納媒体に対する権限設定及び権限認証を行うようにしたクライアントサーバシステム、クライアントサーバシステムにおける格納媒体権限設定方法及び権限認証方法を提供することにその目的がある。
【発明の効果】
【０００６】
以上で説明した通り、本発明による格納媒体のユーザ権限設定方法及び権限認証方法は、格納媒体の駆動によってサーバにおいて格納媒体に対する固有情報、媒体認証情報、及び権限認証情報を用いて格納媒体に対する権限設定及び権限認証を行うようにすることによって従来格納媒体に対する固有情報を用いて権限認証を行うよりさらに強力な権限認証機能を遂行することができる効果がある。
【課題を解決するための手段】
【０００７】
前記のような目的を達成するための本発明によるクライアントサーバシステムの第1の特徴は、格納媒体が駆動されるクライアントとサーバを含むクライアントサーバシステムにおいて、前記クライアントは、前記格納媒体の駆動時に前記サーバから送信された媒体認証情報を前記格納媒体に記録し、前記格納媒体に対する権限認証情報を取得して前記サーバに転送し、前記サーバは、前記クライアントから前記媒体認証情報が受信されない場合、前記格納媒体に対する媒体認証情報を生成して媒体認証格納情報として登録し、前記生成された媒体認証情報を前記クライアントに送信し、前記クライアントから送信された媒体認証情報と登録された媒体認証格納情報が一致する場合、前記クライアントから送信された権限認証情報を権限認証格納情報として登録し、前記格納媒体に対する権限認証情報を設定することを含む。
【０００８】
前記のような目的を達成するための本発明によるクライアントサーバシステムの第２の特徴は、前記クライアントは、前記サーバからの権限認証情報の要請に従って前記権限認証情報を取得して前記サーバに送信し、前記サーバは、前記クライアントから送信された媒体認証情報と登録された媒体認証格納情報とを比較して一致する場合、前記権限認証情報を前記クライアントに要請し、前記権限認証情報を受信して登録された前記権限認証格納情報と比較して一致する場合、前記格納媒体に対する権限を認証することをさらに備える。
【０００９】
前記のような目的を達成するための本発明によるクライアントサーバシステムの第３の特徴は、前記クライアントは、前記サーバから前記格納媒体に対する権限認証を受けた後、前記格納媒体に対する利用情報を取得して前記サーバに送信し、前記サーバは、前記クライアントから送信された格納媒体に対する利用情報を登録することをさらに備える。
【００１０】
前記のような目的を達成するための本発明によるクライアントサーバシステムにおける格納媒体権限設定方法の第1の特徴は、格納媒体が駆動されるクライアントとサーバを含むクライアントサーバシステムにおける格納媒体権限設定方法において、前記サーバが前記クライアントから前記媒体認証情報が受信されない場合、前記格納媒体に記録される媒体認証情報を生成して媒体認証格納情報として登録し、前記媒体認証情報を前記クライアントに送信する段階;前記クライアントが前記送信された媒体認証情報を前記格納媒体に記録し、前記格納媒体に対する権限認証情報を取得して前記サーバに送信する段階;及び前記サーバが前記送信された権限認証情報を権限認証格納情報として登録し、前記格納媒体に対する権限認証情報を設定する段階を備える。
【００１１】
前記のような目的を達成するための本発明によるクライアントサーバシステムにおける格納媒体権限認証方法の第1の特徴は、格納媒体が駆動されるクライアントとサーバを含むクライアントサーバシステムにおける格納媒体権限認証方法において、前記クライアントが前記格納媒体の駆動時に前記格納媒体に記録された媒体認証情報と固有情報を取得して前記サーバに送信する段階;前記サーバが前記クライアントから送信された媒体認証情報及び固有情報を登録された媒体認証格納情報及び固有情報と比較していずれも一致する場合、権限認証情報を前記クライアントに要請する段階;前記クライアントが前記サーバから権限認証情報の要請に従って前記格納媒体に対する権限認証情報を取得して前記サーバに送信する段階;及び前記サーバが前記送信された権限認証情報と登録された権限認証格納情報を比較して一致する場合、前記格納媒体に対する権限を認証する段階を備える。
【００１２】
前記のような目的を達成するための本発明によるクライアントサーバシステムにおける格納媒体権限認証方法の第２の特徴は、前記権限認証段階で前記サーバから前記格納媒体に対する権限認証を受けた後、前記クライアントが前記格納媒体に対する利用情報を取得して前記サーバに送信する段階;及び前記サーバが前記クライアントから送信された格納媒体に対する利用情報を登録する段階をさらに備える。
【発明を実施するための最良の形態】
【００１３】
本発明の他の目的、特徴及び利点は添付した図面を参照しながら実施例の詳細な説明によって明白になる。
【００１４】
以下、本発明によるクライアントサーバシステム、クライアントサーバシステムにおける格納媒体権限設定方法及び権限認証方法について、添付した図面を参照して詳細に説明すれば次の通りである。
【００１５】
図1は本発明によるクライアントサーバシステムの第1実施例を概略的に示した図面である。
【００１６】
図1を参照すれば、クライアントサーバシステムの第1実施例は格納媒体(図示せず)、ドライブ110と、クライアントPC120(以下、クライアントと略称する)と、インターネット130と、サーバ140と、データベース150を備える。
【００１７】
前記ドライブ110としては格納媒体であるハイブリッドＣＤ(hybrid CD)をリード/ライト(read/write)できるＣＤ−ＲＷドライブ(CD RW driver)を一実施例として用いることができるが、前記格納媒体であるハイブリッドＣＤをリード/ライトできるドライブならばどのようなものを用いても構わない。
【００１８】
前記クライアント120はユーザが前記格納媒体を前記ドライブ110に挿入すれば、前記格納媒体に搭載されたセキュリティーソリューションの駆動によって前記サーバ140のウェブページ(以下、サーバ140と略称する)に前記インターネット130を通じて接続し、前記格納媒体に対する媒体認証情報の存否を検索して前記媒体認証情報が存在しない場合、前記格納媒体に対する固有情報を取得して前記サーバ140に送信し、前記サーバ140から送信された前記格納媒体に対する媒体認証情報を前記ドライブ110を通じて前記格納媒体に記録し、前記媒体認証情報が存在する場合、前記格納媒体に対する固有情報及び媒体認証情報を取得して前記サーバ140に送信する。そして前記クライアント120はユーザの操作によって所定データを前記格納媒体に記録(burning)し、前記サーバ140から送信された権限認証情報の要請に従って権限認証情報を取得して前記サーバ140に送信し、前記サーバ140からの権限認証によって前記格納媒体をユーザが用いることができるようにした後、前記格納媒体の利用情報を取得して前記サーバ140に送信する。
【００１９】
前記サーバ140は前記クライアント120から送信された格納媒体に対する固有情報と前記データベース150に登録された格納媒体に対する固有情報を比較した後、比較結果一致はするが、前記クライアント120から格納媒体の媒体認証情報が送信されない場合、前記格納媒体に対する媒体認証情報を自動で生成して媒体認証格納情報として前記データベース150に登録して前記生成された格納媒体の媒体認証情報を前記クライアント120に前記インターネット130を通じて送信し、前記クライアント120と前記ドライブ110を通じて格納媒体に記録されるように制御し、前記クライアント120に権限認証情報の要請を送信して送信された権限認証情報を権限認証格納情報として前記データベース150に登録して前記格納媒体に対する権限認証情報を設定する。そして前記サーバ140は前記クライアント120から送信された格納媒体に対する固有情報及び媒体認証情報と前記データベース150に登録された格納媒体に対する固有情報及び媒体認証格納情報を比較した後、比較結果いずれも一致する場合、前記インターネット130を通じて前記クライアント120に前記格納媒体の権限認証情報の要請を送信し、前記クライアント120から送信された権限認証情報と前記データベース150に登録された権限認証格納情報を比較した後、比較結果一致する場合、前記格納媒体に対する権限を認証し、前記クライアント120から送信された前記格納媒体の利用情報を前記データベース150に登録する。
【００２０】
前記データベース150には前記格納媒体の製造時に前記格納媒体に対する固有情報が登録され、前記サーバ140の制御によって前記生成された格納媒体の媒体認証情報が媒体認証格納情報として登録され、前記クライアント120から送信された権限認証情報が権限認証格納情報として登録され、前記格納媒体に対する利用情報が登録される。
【００２１】
図２は本発明によるクライアントサーバシステムにおける格納媒体権限設定方法を示したフローチャートであり、図３は本発明によるクライアントサーバシステムにおける格納媒体権限認証方法を示したフローチャートである。
【００２２】
図４は本発明によるクライアントサーバシステムの第２実施例を示した図面である。
【００２３】
図４を参照すれば、クライアントサーバシステムの第２実施例は格納媒体(図示せず)、第1ドライブ210と、第1クライアントPC220(以下、第1クライアントと略称する)と、インターネット230と、第２ドライブ240と、第２クライアント250(以下、第２クライアントと略称する)と、サーバ260と、データベース270を備える。
【００２４】
前記第１及び第２ドライブ210,240としては、格納媒体であるハイブリッドＣＤ(hybrid CD)をリード/ライト(read/write)できるＣＤ−ＲＷドライブ(CD RW driver)を一実施例として用いることができるが、前記格納媒体であるハイブリッドＣＤをリード/ライトできるドライブならばどのようなものを用いても構わない。
【００２５】
前記第1クライアント220は第1ユーザ(例えば、管理者)が前記格納媒体を前記第1ドライブ210に挿入すれば、前記格納媒体に搭載されたセキュリティーソリューションの駆動によって前記サーバのウェブページ260(以下、サーバ260と略称する)に前記インターネット230を通じて接続し、前記格納媒体に対する媒体認証情報の存否を検索して前記媒体認証情報が存在しない場合、前記格納媒体に対する固有情報を取得して前記サーバ260に送信し、前記サーバ260から送信された媒体認証情報を前記第1ドライブ210を介して前記格納媒体に記録し、前記サーバ260から前記格納媒体に対する第1及び第２ユーザ(例えば、実際のユーザで、管理者と同一であったり互いに異なることもある)に対する権限認証情報の要請に従って前記第１及び第２ユーザに対する権限認証情報を取得して前記サーバ140に送信する。そして、前記第１クライアント220は前記格納媒体に対する媒体認証情報の存否を検索して前記媒体認証情報が存在する場合、前記格納媒体に対する固有情報及び媒体認証情報を取得して前記サーバ260に送信し、前記サーバ260で第1ユーザの操作によって前記第1ドライブ210を介して所定データを前記格納媒体に記録(burning)し、前記サーバ260から送信された第１及び第２権限認証情報の要請に従って前記第1ユーザの操作による第１及び第２ユーザに対する権限認証情報を取得して前記サーバ260に送信し、前記サーバ260から前記格納媒体の利用情報の提供を受けてこれを出力または表示して第1ユーザに知らせる。
【００２６】
前記第２クライアント250は前記第1ユーザから所定データが記録された格納媒体を配布された第２ユーザが前記格納媒体を前記第２ドライブ240に挿入すれば、前記格納媒体に搭載されたセキュリティーソリューションの駆動によって前記サーバ260に前記インターネット230を通じて接続して前記格納媒体に対する固有情報及び媒体認証情報を取得して前記サーバ260に送信し、前記サーバ260から送信された前記格納媒体に対する権限認証情報の要請に従って権限認証情報を取得して前記サーバ260に送信し、前記サーバ260からの権限認証によって前記格納媒体を第２ユーザが用いることができるようにした後、前記格納媒体の利用情報を取得して前記サーバ260に送信する。
【００２７】
前記サーバ260は前記第1クライアント220から送信された格納媒体に対する固有情報と前記データベース270に登録された格納媒体に対する固有情報を比較した後、一致していても前記第1クライアント220から前記格納媒体の媒体認証情報が送信されない場合、前記格納媒体に対する媒体認証情報を自動で生成して媒体認証格納情報として前記データベース270に登録し、前記生成された格納媒体に対する媒体認証情報を前記第1クライアント220に前記インターネット230を通じて送信して前記第1クライアント220と前記第1ドライブ210を介して格納媒体に記録されるように制御し、前記インターネット230を通じて前記第1クライアント220に権限認証情報の要請を送信した後、前記第1クライアント220から送信された第１及び第２ユーザに対する権限認証格納情報を前記データベース270に登録して権限認証情報を設定する。
【００２８】
また、前記サーバ260は前記第２クライアント250から送信された格納媒体に対する媒体認証情報及び固有番号と前記データベース270に登録された格納媒体に対する媒体認証格納情報及び固有番号を比較した後、比較結果いずれも一致する場合、前記第２クライアント250に権限認証情報の要請を送信した後、前記クライアント250から送信された権限認証情報と前記データベース270に登録された第２ユーザに対する権限認証格納情報を比較して比較結果一致する場合、前記格納媒体に対する権限認証を行って、前記第２クライアント250から送信された利用情報を前記データベース270に登録した後、前記第1クライアント220の要請に従って前記データベース270に登録された利用情報を送信する。
【００２９】
前記データベース270には前記格納媒体の製造時に前記格納媒体に対する固有情報が登録され、前記サーバ260の制御によって前記生成された格納媒体の媒体認証情報が媒体認証格納情報として登録され、前記第1クライアント220から送信された第1及び第２ユーザに対する権限認証情報が権限認証格納情報として登録され、前記第２クライアント250から送信された前記格納媒体に対する利用情報が登録される。
【００３０】
図５は本発明によるクライアントサーバシステムの第３実施例を示した図面である。
【００３１】
図５を参照すれば、クライアントサーバシステムの第３実施例は格納媒体(図示せず)、第1ドライブ310と、第1クライアントPC320(以下、第1クライアントと略称する)と、インターネット330と、第２ドライブ340と、第２クライアントPC350(以下、第２クライアントと略称する)と、第３ドライブ360と、第３クライアントPC370(以下、第３クライアントと略称する)と、サーバ380と、データベース390を備える。
【００３２】
前記第１〜第３ドライブ310,340,360としては、格納媒体であるハイブリッドＣＤ(hybrid CD)をリード/ライト(read/write)できるＣＤ−ＲＷドライブ(CD RW driver)を一実施例として用いることができるが、前記格納媒体であるハイブリッドＣＤをリード/ライトできるドライブならばどのようなものを用いても構わない。
【００３３】
前記第1クライアント320は第1ユーザ(例えば、管理者)が前記格納媒体を前記第1ドライブ310に挿入すれば、前記格納媒体に搭載されたセキュリティーソリューションの駆動によって前記サーバ380のウェブページ(以下、サーバ380と略称する)に前記インターネット330を通じて接続して前記格納媒体に対する媒体認証情報の存否を検索した後、検索結果存在しない場合、前記格納媒体に対する固有情報を取得して前記サーバ380に送信し、前記サーバ380から送信された前記格納媒体に対する媒体認証情報を、前記ドライブ310を介して前記格納媒体に記録し、前記サーバ380から送信された権限認証情報の要請に従って前記第1ユーザの操作によって第1及び第２ユーザ(例えば、受給者)に対する権限認証情報を取得して前記サーバ380に送信し、前記サーバ380から前記格納媒体の利用情報の提供を受けてこれを出力またはディスプレイして第1ユーザに知らせる。
【００３４】
前記第２クライアント350は第1ユーザから前記媒体認証情報が記録された格納媒体を第２ユーザが受領して前記第２ドライブ340に挿入すれば、前記格納媒体が搭載されたセキュリティーソリューションによって駆動されてサーバ380にインターネット330を通じて接続し、前記格納媒体に対する媒体認証情報と固有情報を取得して前記サーバ380に送信し、前記格納媒体に所定データを記録(burning)して前記サーバ380から送信された権限認証情報の要請に従って第２及び第３ユーザ(例えば、実際のユーザ)に対する権限認証情報を取得して前記サーバ380に送信する。
【００３５】
前記第３クライアント370は前記第２ユーザから前記媒体認証情報と権限認証情報が記録された格納媒体を第３ユーザが配布を受けて前記第３ドライブ360に挿入すれば、前記格納媒体が搭載されたセキュリティーソリューションによって駆動されてサーバ380にインターネット330を通じて接続して前記格納媒体に対する固有情報及び媒体認証情報を取得して前記サーバ380に送信し、前記サーバ380から送信された権限認証情報の要請に従って第３ユーザに対する権限認証情報を前記サーバ380に送信し、前記サーバ380からの権限認証によって前記格納媒体を第３ユーザが用いることができるようにした後、前記格納媒体に対する利用情報を前記サーバ380に送信する。
【００３６】
前記サーバ380は前記第1クライアント320から送信された格納媒体に対する固有情報と前記データベース390に登録された格納媒体に対する固有情報を比較した後、一致していても前記第1クライアント320から前記格納媒体の媒体認証情報が送信されない場合、前記格納媒体に対する媒体認証情報を自動で生成して媒体認証格納情報として前記データベース390に登録して前記生成された格納媒体に対する媒体認証情報を前記第1クライアント320に前記インターネット330を通じて送信し、前記第1クライアント320と前記第1ドライブ310を介して格納媒体に記録されるように制御した後、前記第1クライアント320に第１及び第２ユーザに対する権限認証情報の要請を送信し、送信された第1及び第２ユーザ認証情報を前記データベース390に登録して権限認証情報を設定する。そして前記サーバ380は前記第２クライアント350から送信された格納媒体に対する固有情報及び媒体認証情報と前記データベース390に登録された格納媒体に対する固有情報及び媒体認証格納情報を比較した後、いずれも一致する場合、前記インターネット330を通じて前記第２クライアント350に第２及び第３ユーザに対する権限認証情報の要請を送信し、送信された第２及び第３ユーザに対する権限認証情報から第３ユーザに対する権限認証格納情報を前記データベース390に登録して権限認証情報を設定する。また、前記サーバ380は前記第3クライアント370から送信された格納媒体に対する媒体認証情報及び固有番号と前記データベース390に登録された格納媒体に対する媒体認証格納情報及び固有番号を比較し、比較結果いずれも一致する場合、前記第３クライアント370に権限認証情報の要請を送信した後、送信された権限認証情報と前記データベース390に登録された第３ユーザに対する権限認証格納情報を比較して一致する場合、前記格納媒体に対する権限を認証し、前記第３クライアント370から送信された利用情報を前記データベース390に登録する。
【００３７】
前記データベース390には前記格納媒体の製造時に前記格納媒体に対する固有情報が登録され、前記サーバ380の制御によって第1 〜第3ユーザに対する権限認証格納情報と前記第３ユーザの格納媒体利用情報が登録される。
【００３８】
このように構成された本発明によるクライアントサーバシステム、クライアントサーバシステムにおける格納媒体権限設定方法及び権限認証方法について、添付した図面を参照して詳細に説明すれば次の通りである。
【００３９】
［第1実施例］
図１は本発明によるクライアントサーバシステムの第1実施例を概略的に示した図面であり、図２は本発明によるクライアントサーバシステムにおける格納媒体の権限設定方法を示したフローチャートであり、図３は本発明によるクライアントサーバシステムにおける格納媒体の権限認証方法を示したフローチャートである。
【００４０】
まず、図１〜図３を参照すれば、ユーザが格納媒体を前記ドライブ110に挿入すれば前記格納媒体に搭載されたセキュリティーソリューションの駆動(S1)によってクライアント120は前記サーバ140のウェブページ(以下、サーバ140と略称する)に前記インターネット130を通じて接続し、前記格納媒体に対する媒体認証情報の存否を検索(S2)して媒体認証情報が存在しない場合、前記格納媒体に対する固有情報を取得して前記サーバ140に送信する(S3)。前記格納媒体に対する媒体認証情報は例えば、前記格納媒体の権限認証のための固有番号で、前記サーバにおいて自動に生成される。前記クライアント120において前記サーバ140に接続した後、前記格納媒体に対する媒体認証情報の存否を検索するのを一実施例として記載したが、前記格納媒体に対する媒体認証情報の存否を検索した後、検索結果に応じて前記サーバ140に接続する他の実施例も可能である。前記ドライブ110としては格納媒体であるハイブリッドＣＤ(hybrid CD)をリード/ライト(read/write)できるＣＤ−ＲＷドライブ(CD RW driver)を一実施例として用いることができるが、前記格納媒体であるハイブリッドＣＤをリード/ライトできるドライブならばどのようなものを用いても構わない。そうすると、サーバ140は前記クライアント120から送信された格納媒体に対する固有情報と前記データベース150に登録された格納媒体に対する固有情報を比較(S4)して一致する場合、前記格納媒体に対する媒体認証情報を自動で生成して媒体認証格納情報として前記データベース150に登録し、前記生成された格納媒体に対する媒体認証情報を前記クライアント120に前記インターネット130を通じて送信する(S5)。前記権限認証情報は例えば、ユーザＩＤまたはユーザパスワードにより表示されるユーザ認証情報と、前記クライアントのIPまたはマックアドレスで表示されるクライアント認証情報である。
【００４１】
これにより、クライアント120は前記サーバ140から送信された前記格納媒体に対する媒体認証情報を前記ドライブ110を介して前記格納媒体に記録する(S6)。
【００４２】
また、前記S2段階での検索結果、前記格納媒体に対する媒体認証情報が存在する場合、クライアント120は前記格納媒体に対する固有情報及び媒体認証情報を取得して前記サーバ140に送信する(S7)。
【００４３】
そうすると、サーバ140は前記クライアント120から送信された前記格納媒体に対する固有情報及び媒体認証情報を前記データベース150に登録された前記格納媒体の媒体認証格納情報及び固有情報と比較する(S8)。
【００４４】
続いて、サーバ140は前記生成された格納媒体に対する媒体認証情報を前記クライアント120に送信した後または前記S8段階での比較結果いずれも一致する場合、前記格納媒体に対する権限認証のために前記クライアント120に権限認証情報の要請を送信する(S9)。
【００４５】
そうすると、クライアント120は前記ユーザの操作によって前記ドライブ110を用いて前記格納媒体に所定データを記録した後、前記サーバ140から送信された権限認証情報の要請に従って権限認証情報を取得して前記サーバ140に送信する(S10)。この時、前記権限認証情報には前記格納媒体に記録される所定データに対するホルダ/ファイル権限認証情報がさらに含まれる。
【００４６】
そうすると、サーバ140は前記クライアント120から送信された権限認証情報を前記データベース150に権限認証格納情報として登録し、前記格納媒体に対する権限認証を設定する(S11)。
【００４７】
一方、ユーザが媒体認証情報が記録された格納媒体を前記ドライブ110に挿入すれば、前記格納媒体に搭載されたセキュリティーソリューションの駆動(ST1)によってクライアント120は前記サーバ140のウェブページ(以下、サーバ140と略称する)に前記インターネット130を通じて接続して前記格納媒体に対する固有情報及び媒体認証情報を取得して前記サーバ140に送信する(ST2)。
【００４８】
そうすると、サーバ140は前記クライアント120から送信された固有情報及び媒体認証情報を前記データベース150に登録された固有情報及び媒体認証格納情報と比較していずれも一致する場合、前記クライアント120に権限認証情報の要請を送信する(ST3, ST4)。
【００４９】
続いて、クライアント120は前記サーバ140から送信された権限認証情報の要請に従って前記格納媒体に対する権限認証情報を取得して前記サーバ140に送信する(ST5)。
【００５０】
そうすると、サーバ140は前記クライアント120から送信された権限認証情報と前記データベース150に登録された権限認証格納情報を比較した後一致する場合、前記格納媒体に対する権限を認証する(ST6,  ST7)。この時、前記サーバ140は前記比較結果、前記クライアント120から送信された権限認証情報に含まれたユーザ認証情報が前記データベース150に登録されたユーザ認証格納情報と一致しても、前記受信されたクライアント認証情報が前記データベース150に登録されたクライアント認証格納情報と一致しなければ、前記格納媒体のデータ接近を遮断する。
【００５１】
続いて、クライアント120は前記サーバ140の格納媒体に対する権限認証によってユーザが前記格納媒体を用いることができるようにした後、前記格納媒体利用情報を取得して前記サーバ140に送信する(ST8)。前記格納媒体に対する利用情報は例えば、前記格納媒体の駆動如何の情報、前記格納媒体に既に格納された各データの使用如何の情報、前記各データの閲覧時のログイン情報を含む。
【００５２】
そうすると、サーバ140は前記クライアント120から送信された格納媒体に対する利用情報を前記データベース150に登録し、後に前記クライアント120が利用可能になるようにする(ST9)。
【００５３】
［第２実施例］
図４は本発明によるクライアントサーバシステムの第２実施例を示した図面である。図４を参照すれば、第1ユーザ(例えば、管理者)が格納媒体を前記第1ドライブ210に挿入すれば、前記格納媒体に搭載されたセキュリティーソリューションの駆動によって第1クライアント220は前記サーバ260のウェブページ(以下、サーバ260と略称する)に前記インターネット230を通じて接続し、前記格納媒体に対する媒体認証情報の存否を検索して媒体認証情報が存在しない場合、前記格納媒体に対する固有情報を取得して前記サーバ260に送信する。前記格納媒体に対する媒体認証情報は例えば、前記格納媒体の権限認証のための固有番号で、前記サーバにおいて自動で生成される。前記第1クライアント120において前記サーバ260に接続した後、前記格納媒体に対する媒体認証情報の存否を検索するのを一実施例として記載したが、前記格納媒体に対する媒体認証情報の存否を検索した後、検索結果に応じて前記サーバ260に接続する他の実施例も可能である。前記第1ドライブ210としては格納媒体であるハイブリッドＣＤ(hybrid CD)をリード/ライト(read/write)できるＣＤ−ＲＷドライブ(CD RW driver)を一実施例として用いることができるが、前記格納媒体であるハイブリッドＣＤをリード/ライトできるドライブならばどのようなものを用いても構わない。
【００５４】
そうすると、サーバ260は前記第1クライアント220から送信された格納媒体に対する固有情報と前記データベース270に登録された格納媒体に対する固有情報を比較して一致する場合、前記格納媒体に対する媒体認証情報を自動で生成して媒体認証格納情報として前記データベース270に登録し、前記生成された格納媒体に対する媒体認証情報を前記第1クライアント220に前記インターネット130を通じて送信する。前記権限認証情報は例えば、ユーザＩＤまたはユーザパスワードにより表示されるユーザ認証情報と、前記クライアントのIPまたはマックアドレスで表示されるクライアント認証情報である。
【００５５】
これにより、第1クライアント220は前記サーバ140から送信された前記格納媒体に対する媒体認証情報を前記第1ドライブ210を介して前記格納媒体に記録する。
【００５６】
また、第1クライアント220は前記検索結果、前記格納媒体に対する媒体認証情報が存在する場合、前記格納媒体に対する固有情報及び媒体認証情報を取得して前記サーバ260に送信する。
【００５７】
そうすると、サーバ260は前記第1クライアント220から送信された前記格納媒体に対する固有情報及び媒体認証情報を前記データベース270に登録された前記格納媒体の媒体認証格納情報及び固有情報と比較する。
【００５８】
続いて、サーバ260は前記生成された格納媒体に対する媒体認証情報を前記第1クライアント220に送信した後または前記比較結果いずれも一致する場合、前記格納媒体に対する権限認証のために前記第1クライアント220に権限認証情報の要請を送信する。
【００５９】
そうすると、第1クライアント120は前記第1ユーザの操作によって前記第1ドライブ210を用いて前記格納媒体に所定データを記録した後、前記サーバ260から送信された権限認証情報の要請に従って権限認証情報を取得して前記サーバ260に送信する。この時、前記権限認証情報には前記格納媒体に記録される所定データに対するホルダ/ファイル権限認証情報がさらに含まれる。
【００６０】
そうすると、サーバ260は前記第1クライアント220から送信された権限認証情報を前記データベース270に権限認証格納情報として登録し、前記格納媒体に対する権限認証を設定する。
【００６１】
一方、第２ユーザ(例えば、実際のユーザ)が、媒体認証情報が記録された格納媒体を前記第1ユーザから配布されて前記第２ドライブ240に挿入すれば、前記格納媒体に搭載されたセキュリティーソリューションの駆動によって第２クライアント250は前記サーバ260のウェブページ(以下、サーバ140と略称する)に前記インターネット230を通じて接続し、前記格納媒体に対する固有情報及び媒体認証情報を取得して前記サーバ260に送信する。
【００６２】
そうすると、サーバ260は前記第２クライアント250から送信された媒体認証情報及び固有情報を前記データベース270に登録された固有情報及び媒体認証格納情報と比較していずれも一致する場合、前記第２クライアント250に権限認証情報の要請を送信する。
【００６３】
続いて、第２クライアント250は前記サーバ260から送信された権限認証情報の要請に従って前記格納媒体に対する権限認証情報を取得して前記サーバ260に送信する。
【００６４】
そうすると、サーバ260は前記第２クライアント250から送信された権限認証情報と前記データベース270に登録された権限認証格納情報を比較した後一致する場合、前記格納媒体に対する権限を認証する。この時、前記サーバ260は前記比較結果、前記第2クライアント250から送信された権限認証情報に含まれたユーザ認証情報が前記データベース270に登録されたユーザ認証格納情報と一致しても、前記受信されたクライアント認証情報が前記データベース270に登録されたクライアント認証格納情報と一致しなければ前記格納媒体のデータ接近を遮断する。
【００６５】
続いて、第２クライアント250は前記サーバ260の格納媒体に対する権限認証によって第２ユーザが前記格納媒体を用いることができるようにした後、前記格納媒体利用情報を取得して前記サーバ260に送信する。前記格納媒体に対する利用情報は例えば、前記格納媒体の駆動如何の情報、前記格納媒体に既に格納された各データの使用如何の情報、前記各データの閲覧時のログイン情報を含む。
【００６６】
そうすると、サーバ260は前記第２クライアント250から送信された格納媒体に対する利用情報を前記データベース270に登録し、後に前記第1クライアント220が利用可能になるようにする。
【００６７】
［第３実施例］
図５は本発明によるクライアントサーバシステムの第３実施例を示した図面である。図５を参照すれば、第1ユーザ(例えば、管理者)が格納媒体を前記第1ドライブ310に挿入すれば、前記格納媒体に搭載されたセキュリティーソリューションの駆動によって第1クライアント320は前記サーバ380のウェブページ(以下、サーバ380と略称する)に前記インターネット330を通じて接続し、前記格納媒体に対する媒体認証情報の存否を検索して媒体認証情報が存在しない場合、前記格納媒体に対する固有情報を取得して前記サーバ380に送信する。前記格納媒体に対する媒体認証情報は例えば、前記格納媒体の権限認証のための固有番号で、前記サーバにおいて自動で生成される。前記第1クライアント320において前記サーバ380に接続した後、前記格納媒体に対する媒体認証情報の存否を検索するのを一実施例として記載したが、前記格納媒体に対する媒体認証情報の存否を検索した後、検索結果に応じて前記サーバ380に接続する他の実施例も可能である。前記第1ドライブ310としては格納媒体であるハイブリッドＣＤ(hybrid CD)をリード/ライト(read/write)できるＣＤ−ＲＷドライブ(CD RW driver)を一実施例として用いることができるが、前記格納媒体であるハイブリッドＣＤをリード/ライトできるドライブならばどのようなものを用いても構わない。
【００６８】
そうすると、サーバ380は前記第１クライアント320から送信された格納媒体に対する固有情報と前記データベース390に登録された格納媒体に対する固有情報を比較して一致する場合、前記格納媒体に対する媒体認証情報を自動で生成して媒体認証格納情報として前記データベース390に登録し、前記生成された格納媒体に対する媒体認証情報を前記第1クライアント320に前記インターネット130を通じて送信する。前記権限認証情報は例えば、ユーザＩＤまたはユーザパスワードにより表示されるユーザ認証情報と、前記クライアントのIPまたはマックアドレスで表示されるクライアント認証情報である。
【００６９】
これにより、第1クライアント320は前記サーバ380から送信された前記格納媒体に対する媒体認証情報を、前記第1ドライブ310を介して前記格納媒体に記録する。
【００７０】
また、第1クライアント320は前記検索結果、前記格納媒体に対する媒体認証情報が存在する場合、前記格納媒体に対する固有情報及び媒体認証情報を取得して前記サーバ380に送信する。
【００７１】
そうすると、サーバ380は前記第1クライアント320から送信された前記格納媒体に対する固有情報及び媒体認証情報を前記データベース390に登録された前記格納媒体の媒体認証格納情報及び固有情報と比較する。
【００７２】
続いて、サーバ380は前記生成された格納媒体に対する媒体認証情報を前記第1クライアント320に送信した後または前記比較結果いずれも一致する場合、前記格納媒体に対する権限認証のために前記第1クライアント320に権限認証情報の要請を送信する。
【００７３】
そうすると、第1クライアント320は前記サーバ380から送信された権限認証情報の要請に従って第1及び第２ユーザ(例えば、受給者)に対する権限認証情報を取得して前記サーバ380に送信する。
【００７４】
そうすると、サーバ380は前記第1クライアント320から送信された第1及び第２ユーザに対する権限認証情報を前記データベース390に権限認証格納情報として登録し、前記格納媒体に対する権限認証を設定する。
【００７５】
一方、第２ユーザが媒体認証情報が記録された格納媒体を前記第1ユーザから配布されて前記第２ドライブ340に挿入すれば、前記格納媒体に搭載されたセキュリティーソリューションの駆動によって第２クライアント350は前記サーバ380のウェブページ(以下、サーバ380と略称する)に前記インターネット330を通じて接続し、前記格納媒体に対する固有情報及び媒体認証情報を取得して前記サーバ380に送信する。
【００７６】
そうすると、サーバ380は前記第２クライアント350から送信された固有情報及び媒体認証情報を前記データベース390に登録された固有情報及び媒体認証格納情報と比較していずれも一致する場合、前記第２クライアント350に第2及び第３ユーザ(例えば、実際のユーザ)に対する権限認証情報の要請を送信する。
【００７７】
続いて、第２クライアント350は第２ユーザの操作によって第２ドライブ340を用いて前記格納媒体に所定データを記録した後、前記サーバ380から送信された第２及び第３ユーザに対する権限認証情報の要請に従って前記格納媒体に対する権限認証情報を取得して前記サーバ380に送信する。この時、前記権限認証情報には前記格納媒体に記録される所定データに対するホルダ/ファイル権限認証情報がさらに含まれる。
【００７８】
そうすると、サーバ380は前記第２クライアント350から送信された権限認証情報と前記データベース390に登録された権限認証格納情報を比較した後一致する場合、前記第２クライアント350から送信された第３ユーザに対する権限認証情報を前記データベース390に第３ユーザに対する権限認証格納情報として登録し、前記格納媒体に対する権限認証を設定する。
【００７９】
その後、第３ユーザが媒体認証情報と所定データが記録された格納媒体を第２ユーザから受領した後、前記第３ドライブ360に挿入すれば、前記格納媒体に搭載されたセキュリティーソリューションの駆動によって第3クライアント370は前記サーバ380のウェブページ(以下、サーバ380と略称する)に前記インターネット330を通じて接続して前記格納媒体に対する固有情報及び媒体認証情報を取得して前記サーバ380に送信する。
【００８０】
そうすると、サーバ380は前記第３クライアント370から送信された固有情報及び媒体認証情報を前記データベース390に登録された固有情報及び媒体認証格納情報と比較していずれも一致する場合、前記第３クライアント370に第３ユーザに対する権限認証情報の要請を送信する。
【００８１】
続いて、第３クライアント370は前記サーバ380から送信された第３ユーザに対する権限認証情報の要請に従って前記格納媒体に対する権限認証情報を取得して前記サーバ380に送信する。
【００８２】
そうすると、サーバ380は前記第３クライアント370から送信された権限認証情報と前記データベース390に登録された権限認証格納情報を比較した後一致する場合、前記格納媒体に対する権限を認証する。この時、前記サーバ380は前記比較結果、前記第３クライアント370から送信された権限認証情報に含まれたユーザ認証情報が前記データベース390に登録されたユーザ認証格納情報と一致しても、前記受信されたクライアント認証情報が前記データベース390に登録されたクライアント認証格納情報と一致しなければ、前記格納媒体のデータ接近を遮断する。
【００８３】
続いて、第３クライアント370は前記サーバ380の格納媒体に対する権限認証によって第３ユーザが前記格納媒体を用いることができるようにした後、前記格納媒体利用情報を取得して前記サーバ380に送信する。前記格納媒体に対する利用情報は例えば、前記格納媒体の駆動如何の情報、前記格納媒体に既に格納された各データの使用如何の情報、前記各データの閲覧時のログイン情報を含む。
【００８４】
そうすると、サーバ380は前記第３クライアント370から送信された格納媒体に対する利用情報を前記データベース390に登録し、後に前記第1クライアント320が利用可能になるようにする。
【００８５】
以上説明した内容を通じて当業者であれば本発明の技術思想を逸脱しない範囲で多様な変更及び修正が可能であることが分かる。
【００８６】
従って、本発明の技術的範囲は実施例に記載された内容に限定されるものでなく特許請求の範囲及びそれと均等なものによって定められなければならない。
【図面の簡単な説明】
【００８７】
【図１】本発明によるクライアントサーバシステムの第１実施例を概略的に示した図面である。
【図２】図２は本発明によるクライアントサーバシステムにおける格納媒体権限設定方法を示したフローチャートである。
【図３】本発明によるクライアントサーバシステムにおける格納媒体権限認証方法を示したフローチャートである。
【図４】本発明によるクライアントサーバシステムの第２実施例を示した図面である。
【図５】本発明によるクライアントサーバシステムの第３実施例を示した図面である。
【符号の説明】
【００８８】
110   ドライブ
120   クライアント
130   インターネット 
140   サーバ
150   データベース
【図１】
2008262517.tif 000003
【図２】
2008262517.tif 000004
【図３】
2008262517.tif 000005
【図４】
2008262517.tif 000006
【図５】
2008262517.tif 000007